(57)【要約】本発明はデータ伝送方法、データ伝送装置、ユーザ装置及び基地局に関する。前記データ伝送方法は、ユーザ装置のキャッシュデータの長さが第一所定閾値の以上である場合、所定の方式によって前記キャッシュデータを分割して、二つのグループのデータを得ることと、前記二つのグループのデータをそれぞれ移動ネットワークと無線ローカルエリアネットワーク（ＷＬＡＮ）を介して基地局にアップロードすることと、を含む。本開示の技術案によれば、移動ネットワークとＷＬＡＮのリソースをよりよく統合することができ、従来技術におけるＷＬＡＮのネットワーク利用率が低い問題を解決するとともに、移動ネットワークを介してデータを伝送するときのネットワークの負荷を大幅に軽減させ、ＵＥのデータ伝送のパフォーマンスを向上させる。【選択図】図１Ａ
2019517758.tif 000002
【特許請求の範囲】
【請求項１】
データ伝送方法であって、
ユーザ装置のキャッシュデータの長さが第一所定閾値の以上である場合、所定の方式によって前記キャッシュデータを分割して、二つのグループのデータを得ることと、
前記二つのグループのデータをそれぞれ移動ネットワークと無線ローカルエリアネットワークを介して基地局にアップロードすることと、を含む、前記データ伝送方法。
【請求項２】
前記キャッシュデータの長さが第一所定閾値より小さい場合、前記移動ネットワークと前記無線ローカルエリアネットワークの信号強度を確定することと、
前記移動ネットワークの信号強度が前記無線ローカルエリアネットワークの信号強度の以上である場合、前記移動ネットワークを介して前記キャッシュデータを伝送することと、
前記移動ネットワークの信号強度が前記無線ローカルエリアネットワークの信号強度より小さい場合、前記無線ローカルエリアネットワークを介して前記キャッシュデータを伝送することと、を更に含む
請求項１に記載のデータ伝送方法。
【請求項３】
基地局のブロードキャストシグナリングを受信することと、
前記ブロードキャストシグナリングから前記第一所定閾値を解析することと、を更に含む
請求項１に記載のデータ伝送方法。
【請求項４】
基地局のユニキャストシグナリングを受信することと、
前記ユニキャストシグナリングから第二所定閾値を解析することと、
前記第一所定閾値を前記第二所定閾値にアップデートすることと、を更に含み、
前記第二所定閾値が前記第一所定閾値より小さい
請求項１に記載のデータ伝送方法。
【請求項５】
前記キャッシュデータがパケットデータコンバージェンスプロトコルのキャッシュメモリに格納される
請求項１に記載のデータ伝送方法。
【請求項６】
データ伝送方法であって、
セル内のユーザ装置のネットワーク負荷状態を確定することと、
前記ネットワーク負荷状態に基づいて、前記セル内のユーザ装置によって採用された第一所定閾値を確定することと、
ユーザ装置がそれぞれ移動ネットワークと無線ローカルエリアネットワークを介してアップロードした二つのグループのデータを受信することと、
前記二つのグループのデータを前記ユーザ装置側のデータフォーマットと同じデータパケットに再構成することと、を含み、
前記二つのグループのデータは、前記ユーザ装置のキャッシュデータの長さが前記第一所定閾値の以上である場合、前記ユーザ装置が前記キャッシュデータをパケットに分割して得られたものである、前記データ伝送方法。
【請求項７】
前記セル内のユーザ装置から所定のユーザレベルに合致するユーザ装置を確定することと、
前記所定のユーザレベルに対応する第二所定閾値を確定することと、
前記第二所定閾値を前記所定のユーザレベルに合致するユーザ装置に送信することと、を更に含む
請求項６に記載のデータ伝送方法。
【請求項８】
前記第二所定閾値を前記所定のユーザレベルに合致するユーザ装置に送信することは、
前記第二所定閾値がユニキャストシグナリングに含まれるように設定することと、
前記所定のユーザレベルに合致するユーザ装置へ前記第二所定閾値が含まれている前記ユニキャストシグナリングを送信することと、を更に含む
請求項７に記載のデータ伝送方法。
【請求項９】
前記第一所定閾値がブロードキャストシグナリングに含まれるように設定することと、
前記セル内のユーザ装置へ前記ブロードキャストシグナリングを送信することと、を更に含む
請求項６に記載のデータ伝送方法。
【請求項１０】
データ伝送装置であって、
ユーザ装置のキャッシュデータの長さが第一所定閾値の以上である場合、所定の方式によって前記キャッシュデータを分割して、二つのグループのデータを得るように構成されるデータパケットモジュールと、
前記データパケットモジュールがパケットに分割して得られた前記二つのグループのデータを、それぞれ移動ネットワークと無線ローカルエリアネットワークを介して基地局にアップロードするように構成される第一データ伝送モジュールと、を備える、前記データ伝送装置。
【請求項１１】
前記キャッシュデータの長さが第一所定閾値より小さい場合、前記移動ネットワークと前記無線ローカルエリアネットワークの信号強度を確定するように構成される信号強度確定モジュールと、
前記信号強度確定モジュールによって前記移動ネットワークの信号強度が前記無線ローカルエリアネットワークの信号強度の以上であることが確定された場合、前記移動ネットワークを介して前記キャッシュデータを伝送するように構成される第二データ伝送モジュールと、
前記信号強度確定モジュールによって前記移動ネットワークの信号強度が前記無線ローカルエリアネットワークの信号強度より小さいことが確定された場合、前記無線ローカルエリアネットワークを介して前記キャッシュデータを伝送するように構成される第三データ伝送モジュールと、を更に備える
請求項１０に記載のデータ伝送装置。
【請求項１２】
基地局のブロードキャストシグナリングを受信するように構成されるブロードキャストシグナリング受信モジュールと、
前記ブロードキャストシグナリング受信モジュールによって受信された前記ブロードキャストシグナリングから前記第一所定閾値を解析するように構成される第一閾値解析モジュールと、を更に備える
請求項１０に記載のデータ伝送装置。
【請求項１３】
基地局のユニキャストシグナリングを受信するように構成されるユニキャストシグナリング受信モジュールと、
前記ユニキャストシグナリング受信モジュールによって受信された前記ユニキャストシグナリングから第二所定閾値を解析するように構成される第二閾値解析モジュールと、
前記第一所定閾値を前記第二閾値解析モジュールによって解析された前記第二所定閾値にアップデートするように構成される閾値アップデートモジュールと、を更に備え、
前記第二所定閾値が前記第一所定閾値より小さい
請求項１０に記載のデータ伝送装置。
【請求項１４】
前記キャッシュデータがパケットデータコンバージェンスプロトコルのキャッシュメモリに格納される
請求項１０に記載のデータ伝送装置。
【請求項１５】
データ伝送装置であって、
セル内のユーザ装置のネットワーク負荷状態を確定するように構成される状態確定モジュールと、
前記状態確定モジュールによって確定された前記ネットワーク負荷状態に基づいて、前記セル内のユーザ装置によって採用された第一所定閾値を確定するように構成される第一閾値確定モジュールと、
ユーザ装置がそれぞれ移動ネットワークと無線ローカルエリアネットワークを介してアップロードした二つのグループのデータを受信するように構成されるデータ受信モジュールと、
前記データ受信モジュールによって受信された前記二つのグループのデータを前記ユーザ装置側のデータフォーマットと同じデータパケットに再構成するように構成されるデータ再構成モジュールと、を備え、
前記二つのグループのデータは、前記ユーザ装置のキャッシュデータの長さが前記第一閾値確定モジュールによって確定された前記第一所定閾値の以上である場合、前記ユーザ装置が前記キャッシュデータをパケットに分割して得られたものである、前記データ伝送装置。
【請求項１６】
前記セル内のユーザ装置から所定のユーザレベルに合致するユーザ装置を確定するように構成されるレベル確定モジュールと、
前記所定のユーザレベルに対応する第二所定閾値を確定するように構成される第二閾値確定モジュールと、
前記第二閾値確定モジュールによって確定された前記第二所定閾値を前記所定のユーザレベルに合致するユーザ装置に送信するように構成される第二閾値送信モジュールと、を更に備える
請求項１５に記載のデータ伝送装置。
【請求項１７】
前記第二閾値送信モジュールは、
前記第二所定閾値がユニキャストシグナリングに含まれるように設定するように構成される第二閾値設定サブモジュールと、
前記所定のユーザレベルに合致するユーザ装置へ前記ユニキャストシグナリングを送信するように構成されるユニキャストシグナリング送信サブモジュールと、を更に備え、
前記ユニキャストシグナリングには前記第二設定サブモジュールによって設定された前記第二所定閾値が含まれる
請求項１６に記載のデータ伝送装置。
【請求項１８】
前記第一閾値確定モジュールによって確定された前記第一所定閾値がブロードキャストシグナリングに含まれるように設定するように構成される第一閾値設定モジュールと、
前記セル内のユーザ装置へ前記ブロードキャストシグナリングを送信するように構成されるブロードキャストシグナリング送信モジュールと、を更に備え、
前記ブロードキャストシグナリングには前記第一閾値設定モジュールによって設定された前記第一所定閾値が含まれる
請求項１５に記載のデータ伝送装置。
【請求項１９】
ユーザ装置であって、
プロセッサーと、
プロセッサーの実行可能な命令を格納するための記憶装置と、を備え、
前記プロセッサーは、
ユーザ装置のキャッシュデータの長さが第一所定閾値の以上である場合、所定の方式によって前記キャッシュデータを分割して、二つのグループのデータを得、
前記二つのグループのデータをそれぞれ移動ネットワークと無線ローカルエリアネットワークを介して基地局にアップロードするように構成される、前記ユーザ装置。
【請求項２０】
基地局であって、
プロセッサーと、
プロセッサーの実行可能な命令を格納するための記憶装置と、を備え、
前記プロセッサーは、
セル内のユーザ装置のネットワーク負荷状態を確定し、
前記ネットワーク負荷状態に基づいて、前記セル内のユーザ装置によって採用された第一所定閾値を確定し、
ユーザ装置がそれぞれ移動ネットワークと無線ローカルエリアネットワークを介してアップロードした二つのグループのデータを受信し、
前記二つのグループのデータを前記ユーザ装置側のデータフォーマットと同じデータパケットに再構成するように構成され、
前記二つのグループのデータは、前記ユーザ装置のキャッシュデータの長さが前記第一所定閾値の以上である場合、前記ユーザ装置が前記キャッシュデータをパケットに分割して得られたものである、前記基地局。
【発明の詳細な説明】
【技術分野】
【０００１】
本発明は通信技術分野に関し、特にデータ伝送方法、データ伝送装置、ユーザ装置及び基地局に関する。
【背景技術】
【０００２】
無線通信技術の急速な発展、無線ユーザ数の急激な増加、及び高解像度のマルチメディアストリーミングサービスの急速な出現に伴い、無線スペクトルリソースがますます希少になると共に、ネットワークのレート及びネットワークのカバー連続性に対するユーザの要求がますます高くなる。これによって、日々増加している無線需要と限られた高価なライセンスバンドとの間の矛盾が日々顕著になった。許可されたネットワークの圧力を軽減するために、通信事業者はリソースが相対的に豊富な非ライセンスバンドを利用して上記の問題を解決することを検討し始めた。
【０００３】
従来技術において、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、略称３ＧＰＰ）は、既にシリアルナンバーがＲｅｌ−１３である長期発展（Ｌｏｎｇ  Ｔｅｒｍ  Ｅｖｏｌｕｔｉｏｎ：略称ＬＴＥ）ネットワークと無線ローカルエリアネットワーク（Ｗｉｒｅｌｅｓｓ  Ｌｏｃａｌ  Ａｒｅａ  Ｎｅｔｗｏｒｋｓ：略称ＷＬＡＮ）のアグリゲーション（ＬＴＥ−ＷＬＡＮ  Ａｇｇｒｅｇａｔｉｏｎ：略称ＬＷＡ）プロジェクトにおいて、どのようにＬＷＡ技術によってＬＴＥネットワークとＷＬＡＮを無線側で深く融合して両者の動的ロードバランスを実現するかを研究している。３ＧＰＰ  Ｒｅｌ−１３のＬＷＡでは、ダウンリンクだけに注目しているので、強化ＬＷＡ（Ｅｎｈａｎｃｅｄ  ＬＴＥ−ＷＬＡＮ  Ａｇｇｒｅｇａｔｉｏｎｓ：略称ｅＬＷＡ）のユーザ装置（Ｕｓｅｒ  Ｅｑｕｉｐｍｅｎｔ：略称ＵＥ）に対して、ＵＥがＬＴＥネットワークとＷＬＡＮでアップリンクを介して基地局にデータを伝送することをどのようにコントロールする技術問題については、従来技術ではまだ解決できなかった。
【発明の概要】
【課題を解決するための手段】
【０００４】
従来技術の問題を解決するために、本開示の実施形態は、基地局とユーザ装置との間のデータ伝送レートを向上させることができるデータ伝送方法、データ伝送装置、ユーザ装置及び基地局を提供することを目的とする。
【０００５】
本開示の実施形態の第一態様によれば、データ伝送方法を提供し、前記データ伝送方法は、
ユーザ装置（ＵＥ）のキャッシュデータの長さが第一所定閾値の以上である場合、所定の方式によって前記キャッシュデータを分割して、二つのグループのデータを得ることと、
前記二つのグループのデータをそれぞれ移動ネットワークと無線ローカルエリアネットワーク（ＷＬＡＮ）を介して基地局にアップロードすることと、を含む。
【０００６】
一例の実施形態において、前記データ伝送方法は、
前記キャッシュデータの長さが第一所定閾値より小さい場合、前記移動ネットワークと前記無線ローカルエリアネットワークの信号強度を確定することと、
前記移動ネットワークの信号強度が前記無線ローカルエリアネットワークの信号強度の以上である場合、前記移動ネットワークを介して前記キャッシュデータを伝送することと、
前記移動ネットワークの信号強度が前記無線ローカルエリアネットワークの信号強度より小さい場合、前記無線ローカルエリアネットワークを介して前記キャッシュデータを伝送することと、を更に含む。
【０００７】
一例の実施形態において、前記データ伝送方法は、
基地局のブロードキャストシグナリングを受信することと、
前記ブロードキャストシグナリングから前記第一所定閾値を解析することと、を更に含む。
【０００８】
一例の実施形態において、前記データ伝送方法は、
基地局のユニキャストシグナリングを受信することと、
前記ユニキャストシグナリングから第二所定閾値を解析することと、
前記第一所定閾値を前記第二所定閾値にアップデートすることと、を更に含み、
前記第二所定閾値が前記第一所定閾値より小さい。
【０００９】
一例の実施形態において、前記キャッシュデータがパケットデータコンバージェンスプロトコルのキャッシュメモリに格納される。
【００１０】
本開示の実施形態の第二態様によれば、データ伝送方法を提供し、前記データ伝送方法は、
セル内のユーザ装置のネットワーク負荷状態を確定することと、
前記ネットワーク負荷状態に基づいて、前記セル内のユーザ装置によって採用された第一所定閾値を確定することと、
ユーザ装置がそれぞれ移動ネットワークと無線ローカルエリアネットワークを介してアップロードした二つのグループのデータを受信することと、
前記二つのグループのデータを前記ユーザ装置側のデータフォーマットと同じデータパケットに再構成することと、を含み、
前記二つのグループのデータは、前記ユーザ装置のキャッシュデータの長さが前記第一所定閾値の以上である場合、前記ユーザ装置が前記キャッシュデータをパケットに分割して得られたものである。
【００１１】
一例の実施形態において、前記データ伝送方法は、
前記セル内のユーザ装置から所定のユーザレベルに合致するユーザ装置を確定することと、
前記所定のユーザレベルに対応する第二所定閾値を確定することと、
前記第二所定閾値を前記所定のユーザレベルに合致するユーザ装置に送信することと、を更に含む。
【００１２】
一例の実施形態において、前記第二所定閾値を前記所定のユーザレベルに合致するユーザ装置に送信することは、
前記第二所定閾値がユニキャストシグナリングに含まれるように設定することと、
前記所定のユーザレベルに合致するユーザ装置へ前記第二所定閾値が含まれている前記ユニキャストシグナリングを送信することと、を更に含む。
【００１３】
一例の実施形態において、前記第一所定閾値を前記セル内のユーザ装置に送信することは、
前記第一所定閾値がブロードキャストシグナリングに含まれるように設定することと、
前記セル内のユーザ装置へ前記ブロードキャストシグナリングを送信することと、を更に含む。
【００１４】
本開示の実施形態の第三態様によれば、データ伝送装置を提供し、前記データ伝送装置は、
ユーザ装置のキャッシュデータの長さが第一所定閾値の以上である場合、所定の方式によって前記キャッシュデータを分割して、二つのグループのデータを得るように構成されるデータパケットモジュールと、
前記データパケットモジュールがパケットに分割して得られた前記二つのグループのデータをそれぞれ移動ネットワークと無線ローカルエリアネットワークを介して基地局にアップロードするように構成される第一データ伝送モジュールと、を備える。
【００１５】
一例の実施形態において、前記データ伝送装置は、
前記キャッシュデータの長さが第一所定閾値より小さい場合、前記移動ネットワークと前記無線ローカルエリアネットワークの信号強度を確定するように構成される信号強度確定モジュールと、
前記信号強度確定モジュールによって前記移動ネットワークの信号強度が前記無線ローカルエリアネットワークの信号強度の以上であることが確定された場合、前記移動ネットワークを介して前記キャッシュデータを伝送するように構成される第二データ伝送モジュールと、
前記信号強度確定モジュールによって前記移動ネットワークの信号強度が前記無線ローカルエリアネットワークの信号強度より小さいことが確定された場合、前記無線ローカルエリアネットワークを介して前記キャッシュデータを伝送するように構成される第三データ伝送モジュールと、を更に備える。
【００１６】
一例の実施形態において、前記データ伝送装置は、
基地局のブロードキャストシグナリングを受信するように構成されるブロードキャストシグナリング受信モジュールと、
前記ブロードキャストシグナリング受信モジュールによって受信された前記ブロードキャストシグナリングから前記第一所定閾値を解析するように構成される第一閾値解析モジュールと、を更に備える。
【００１７】
一例の実施形態において、前記データ伝送装置は、
基地局のユニキャストシグナリングを受信するように構成されるユニキャストシグナリング受信モジュールと、
前記ユニキャストシグナリング受信モジュールによって受信された前記ユニキャストシグナリングから第二所定閾値を解析するように構成される第二閾値解析モジュールと、
前記第一所定閾値を前記第二閾値解析モジュールによって解析された前記第二所定閾値にアップデートするように構成される閾値アップデートモジュールと、を更に備え、
前記第二所定閾値が前記第一所定閾値より小さい。
【００１８】
一例の実施形態において、前記キャッシュデータがパケットデータコンバージェンスプロトコルのキャッシュメモリに格納される。
【００１９】
本願の実施形態の第四態様によれば、データ伝送装置を提供し、前記データ伝送装置は、
セル内のユーザ装置のネットワーク負荷状態を確定するように構成される状態確定モジュールと、
前記状態確定モジュールによって確定された前記ネットワーク負荷状態に基づいて、前記セル内のユーザ装置によって採用された第一所定閾値を確定するように構成される第一閾値確定モジュールと、
ユーザ装置がそれぞれ移動ネットワークと無線ローカルエリアネットワークを介してアップロードした二つのグループのデータを受信するように構成されるデータ受信モジュールと、
前記データ受信モジュールによって受信された前記二つのグループのデータを前記ユーザ装置側のデータフォーマットと同じデータパケットに再構成するように構成されるデータ再構成モジュールと、を備え、
前記二つのグループのデータは、前記ユーザ装置のキャッシュデータの長さが前記第一閾値確定モジュールによって確定された前記第一所定閾値の以上である場合、前記ユーザ装置が前記キャッシュデータをパケットに分割して得られたものである。
【００２０】
一例の実施形態において、前記データ伝送装置は、
前記セル内のユーザ装置から所定のユーザレベルに合致するユーザ装置を確定するように構成されるレベル確定モジュールと、
前記所定のユーザレベルに対応する第二所定閾値を確定するように構成される第二閾値確定モジュールと、
前記第二閾値確定モジュールによって確定された前記第二所定閾値を前記所定のユーザレベルに合致するユーザ装置に送信するように構成される第二閾値送信モジュールと、を更に備える。
【００２１】
一例の実施形態において、前記第二閾値送信モジュールは、
前記第二所定閾値がユニキャストシグナリングに含まれるように設定するように構成される第二閾値設定サブモジュールと、
前記所定のユーザレベルに合致するユーザ装置へ前記ユニキャストシグナリングを送信するように構成されるユニキャストシグナリング送信サブモジュールと、を更に備え、
前記ユニキャストシグナリングには前記第二設定サブモジュールによって設定された前記第二所定閾値が含まれる。
【００２２】
一例の実施形態において、前記データ伝送装置は、
前記第一閾値確定モジュールによって確定された前記第一所定閾値がブロードキャストシグナリングに含まれるように設定するように構成される第一閾値設定モジュールと、
前記セル内のユーザ装置へ前記ブロードキャストシグナリングを送信するように構成されるブロードキャストシグナリング送信モジュールと、を更に備え、
前記ブロードキャストシグナリングには前記第一閾値設定モジュールによって設定された前記第一所定閾値が含まれる。
【００２３】
本願の実施形態の第五態様によれば、ユーザ装置を提供し、前記ユーザ装置は、
プロセッサーと、
プロセッサーの実行可能な命令を格納するための記憶装置と、を備え、
前記プロセッサーは、
ユーザ装置のキャッシュデータの長さが第一所定閾値の以上である場合、所定の方式によって前記キャッシュデータを分割して、二つのグループのデータを得、
前記二つのグループのデータをそれぞれ移動ネットワークと無線ローカルエリアネットワークを介して基地局にアップロードするように構成される。
【００２４】
本願の実施形態の第六態様によれば、基地局を提供し、前記基地局は、
プロセッサーと、
プロセッサーの実行可能な命令を格納するための記憶装置と、を備え、
前記プロセッサーは、
セル内のユーザ装置のネットワーク負荷状態を確定し、
前記ネットワーク負荷状態に基づいて、前記セル内のユーザ装置によって採用された第一所定閾値を確定し、
ユーザ装置がそれぞれ移動ネットワークと無線ローカルエリアネットワークを介してアップロードした二つのグループのデータを受信し、
前記二つのグループのデータを前記ユーザ装置側のデータフォーマットと同じデータパケットに再構成するように構成され、
前記二つのグループのデータは、前記ユーザ装置のキャッシュデータの長さが前記第一所定閾値の以上である場合、前記ユーザ装置が前記キャッシュデータをパケットに分割して得られたものである。
【００２５】
本発明の実施形態によって提供された技術案は、以下のメリットを含む。
【００２６】
移動ネットワークとＷＬＡＮは、互いに独立した２つの通信ネットワークであるので、移動ネットワークにおけるセルのネットワーク負荷がより大きい場合、本開示の実施形態では、上記の技術案に基づいて、ＵＥに、キャッシュデータの一部のデータを移動ネットワークを介して基地局にアップロードさせると共に、もう一部のデータをＷＬＡＮを介して基地局にアップロードさせるようにコントロールする。それにより、移動ネットワークとＷＬＡＮのリソースをよりよく統合することができ、従来技術におけるＷＬＡＮのネットワーク利用率が低い問題を解決するとともに、移動ネットワークを介してデータを伝送するときのネットワーク負荷を大幅に軽減させ、ＵＥのデータ伝送のパフォーマンスを向上させる。
【００２７】
上記の一般的な説明及び下記の詳細な説明は、ただ例示的及び説明的なものに過ぎず、本開示を限定するものではないことを理解すべきである。
【図面の簡単な説明】
【００２８】
【図１Ａ】一例の例示的な実施形態に基づいて示したデータ伝送方法のフローチャートである。
【図１Ｂ】一例の例示的な実施形態に基づいて示したデータ伝送方法のシーングラフである。
【図２】一例の例示的な実施形態に基づいて示したもう１つのデータ伝送方法のフローチャートである。
【図３】一例の例示的な実施形態に基づいて示したほかのデータ伝送方法のフローチャートである。
【図４】一例の例示的な実施形態に基づいて示したまた１つのデータ伝送方法のフローチャートである。
【図５】一例の例示的な実施形態に基づいて示した更に１つのデータ伝送方法のフローチャートである。
【図６】一例の例示的な実施形態に基づいて示したデータ伝送装置のブロック図である。
【図７】一例の例示的な実施形態に基づいて示したもう１つのデータ伝送装置のブロック図である。
【図８】一例の例示的な実施形態に基づいて示したほかのデータ伝送装置のブロック図である。
【図９】一例の例示的な実施形態に基づいて示したまた１つのデータ伝送装置のブロック図である。
【図１０】一例の例示的な実施形態に基づいて示したデータ伝送装置にに適用されるるブロック図である。
【図１１】一例の例示的な実施形態に基づいて示したもう１つのデータ伝送装置にに適用されるブロック図である。
【発明を実施するための形態】
【００２９】
ここでの図面は、明細書に組み込まれて本明細書の一部を構成し、本開示に合致する実施形態を示し、明細書と共に本開示の原理を説明するためである。
【００３０】
ここで、例示的な実施形態に対して詳しく説明し、その例示を図面に表される。以下の図面関連の説明において、ほかに示されない限り、異なる図面における同一の符号は同じまた類似の要素を表す。以下の例示的な実施形態において説明された実施形態は本発明と一致している全ての実施形態を表すことではない。逆に、それらはただ添付の特許請求の範囲に詳述された、本発明のいくつかの態様による装置と方法の単なる例である。
【００３１】
図１Ａは一例の例示的な実施形態に基づいて示したデータ伝送方法のフローチャートであり、図１Ｂは一例の例示的な実施形態に基づいて示したデータ伝送方法のシーン図である。該データ伝送方法がＵＥに応用されることができ、図１Ａに示したように、該データ伝送方法は以下のステップ１０１−ステップ１０２を含む。
【００３２】
ステップ１０１：ユーザ装置のキャッシュデータの長さが第一所定閾値の以上である場合、所定の方式によって前記キャッシュデータを分割して、二つのグループのデータを得る。
【００３３】
一例の実施形態において、キャッシュデータは、ＵＥがアップリンクを介して基地局に送信したデータパケットを指してもよい。ＵＥが位置する無線ネットワークのネットワーク負荷が比較的大きい場合、ＵＥのアップロードする必要があるデータパケットは、ＵＥのキャッシュメモリにキャッシュされて、本開示で記述する前記キャッシュデータを形成する。キャッシュメモリは、パケットデータコンバージェンスプロトコル（Ｐａｃｋｅｔ  Ｄａｔａ  Ｃｏｎｖｅｒｇｅｎｃｅ  Ｐｒｏｔｏｃｏｌ：略称ＰＤＣＰ）のキャッシュメモリであってよい。一例の実施形態において、キャッシュデータの長さは、通常にキャッシュメモリがキャッシュできるデータの長さを超えてはならない。
【００３４】
一例の実施形態において、第一所定閾値がＵＥが位置するセルのネットワーク負荷の状態に基づいて確定されてよい。キャッシュデータの長さが該第一所定閾値より大きい場合、ＵＥによって現在アクセスされている無線ネットワークにおいて輻輳が発生することを意味する。ＵＥがキャッシュデータを基地局に送信できることを確保するために、所定の方式によってキャッシュデータをパケットに分割して、二つのグループのデータを得る。例えば、第一グループのデータと第二グループのデータである。例えば、キャッシュデータの長さが１２ビットであり、第一所定閾値が１０ビットである場合、キャッシュデータの長さが第一所定閾値より大きいので、所定の方式によってキャッシュデータをパケットに分割してよい。一例の実施形態において、所定の方式は、ＵＥと基地局の間が予め設定したパケットの分割ルールであってよく、ビットを単位としてキャッシュデータをパケットに分割してよい。一例の実施形態において、所定の方式について、キャッシュデータの前半部ビットのデータを第一グループのデータに分け、後半部ビットのデータを第二グループのデータに分け、例えば、１２ビットの前６ビットを本開示の第一グループのデータとし、後６ビットを本開示の第二グループのデータとしてよい。
【００３５】
ステップ１０２：二つのグループのデータをそれぞれ移動ネットワークと無線ローカルエリアネットワークを介して基地局にアップロードする。
【００３６】
一例の実施形態において、例えば、二つのグループのデータを第一グループのデータと第二グループのデータと称する場合、ＵＥは第一グループのデータと第二グループのデータによってそれぞれ形成されたデータパケットに、第一グループのデータと第二グループのデータを識別するための識別子、及びＵＥの現在送信する必要がある全てのデータでの第一グループのデータと第二グループのデータの位置を識別するための位置識別子を追加することができる。これによって、基地局がこれらの識別子に基づいて第一グループのデータと第二グループのデータを識別することができ、且つこれらの識別子に基づいて第一グループのデータと第二グループのデータをＵＥによって最初に生成されたキャッシュデータに再構成することができる。
【００３７】
一例の例示的なシーンにおいて、図１Ｂに示すように、移動ネットワークをＬＴＥネットワークとし、且つ基地局が発展型基地局（ｅＮＢ）を例として例示的に説明し、図１Ｂに示すようなシーンにおいて、ｅＮＢ１０、ＵＥ２０、無線アクセスポイント（Ａｃｃｅｓｓ  Ｐｏｉｎｔ：略称ＡＰ）３０を含み、ここで、ｅＮＢ１０によってカバーされる３つのセルが、それぞれセル１１、セル１２、セル１３であり、ここで、ＵＥ２０がセル１１にある。１つの場合、ＵＥ２０がＬＴＥネットワークにおける第一リンク１４１を介してｅＮＢ１０にデータを伝送する必要があり、セル１１のネットワーク負荷が大きいことによって、ＵＥ２０が送信しようとするデータをキャッシュメモリにキャッシュする場合、通信システムのデータ送信率を向上させるために、本開示の技術案に基づいてキャッシュメモリのキャッシュデータの長さ（例えば、１２ビット）が第一所定閾値（例えば、１０ビット）より大きいかどうかを検出し、キャッシュデータの長さが第一所定閾値より大きい場合、ＵＥ２０がキャッシュデータを前６ビットと後６ビットに分割し、前６ビットを第一グループのデータとし、後６ビットを第二グループのデータとし、その後、前６ビットをＬＴＥネットワークの第一リンク１４１を介してｅＮＢ１０に送信し、後６ビットをＷＬＡＮの第二リンク１４２を介してＡＰ３０に送信し、ＡＰ３０が後６ビットをｅＮＢ１０に送信する。セル１１のＬＴＥネットワーク負荷がより大きい場合、第一所定閾値に基づいて、ＵＥにＷＬＡＮの第二リンク１４２を介してｅＮＢ１０にデータを伝送させるようにコントロールし、第一リンク１４１のデータ伝送のプレッシャーを効果的に緩和する。
【００３８】
移動ネットワークとＷＬＡＮは、２つの独立した通信ネットワークであるので、移動ネットワークのネットワーク負荷がより大きい場合、本実施形態によれば、上記のステップ１０１とステップ１０２に基づいて、ＵＥに、キャッシュデータの一部のデータを移動ネットワークを介して基地局にアップロードさせると共に、もう一部のデータをＷＬＡＮを介して基地局にアップロードさせるようにコントロールし、それにより、移動ネットワークとＷＬＡＮのソースをよりよく統合することができ、従来技術におけるＷＬＡＮのネットワーク利用率が低い問題を解決するとともに、移動ネットワークを介してデータを伝送するときのネットワーク負荷を大幅に軽減させ、ＵＥのデータ伝送のパフォーマンスを向上させる。
【００３９】
一例の実施形態において、データ伝送方法は、
キャッシュデータの長さが第一所定閾値より小さい場合、移動ネットワークと無線ローカルエリアネットワークの信号強度を確定することと、
移動ネットワークの信号強度が無線ローカルエリアネットワークの信号強度の以上である場合、移動ネットワークを介してキャッシュデータを伝送することと、
移動ネットワークの信号強度が無線ローカルエリアネットワークの信号強度より小さい場合、無線ローカルエリアネットワークを介してキャッシュデータを伝送することと、を更に含む。
【００４０】
一例の実施形態において、データ伝送方法は、
基地局のブロードキャストシグナリングを受信することと、
ブロードキャストシグナリングから第一所定閾値を解析することと、を更に含む。
【００４１】
一例の実施形態において、データ伝送方法は、
基地局のユニキャストシグナリングを受信することと、
ユニキャストシグナリングから第二所定閾値を解析することと、
第一所定閾値を第二所定閾値にアップデートすることと、を更に含み、
第二所定閾値が第一所定閾値より小さい。
【００４２】
更に、キャッシュデータは、パケットデータコンバージェンスプロトコルのキャッシュメモリに格納されてもよい。
【００４３】
具体的なデータ伝送方法は、後述の実施形態を参照する。
【００４４】
ここまで、本開示の実施形態によって提供される上記の方法は、移動ネットワークとＷＬＡＮのソースをよりよく統合することができ、従来技術におけるＷＬＡＮのネットワーク利用率が低い問題を解決するとともに、移動ネットワークを介してデータを伝送するときのネットワーク負荷を大幅に軽減させ、ＵＥのデータ伝送のパフォーマンスを向上させる。
【００４５】
以下、具体的な実施形態に基づいて本開示の実施形態によって提供される技術案を説明する。
【００４６】
図２は一例の例示的な実施形態に基づいて示したもう１つのデータ伝送方法のフローチャートである。本実施形態は本開示の実施形態によって提供される上記の方法を利用して、キャッシュデータの長さが第一所定閾値より小さい場合にどのようにデータを伝送するかを例として、且つ図１Ｂを参照して例示的に説明し、図２に示すように、以下のステップを含む。
【００４７】
ステップ２０１：キャッシュデータの長さが第一所定閾値の以上であるかどうかを確定し、キャッシュデータの長さが第一所定閾値の以上である場合、上記の図１Ａに示すような実施形態の方法プロセスに基づいてキャッシュデータを基地局にアップロードする。本実施形態では詳細な説明を省略する。キャッシュデータの長さが第一所定閾値より小さい場合、ステップ２０２を実行する。
【００４８】
ステップ２０２：キャッシュデータの長さが第一所定閾値より小さい場合、移動ネットワークと無線ローカルエリアネットワークの信号強度を確定する。
【００４９】
ステップ２０３：移動ネットワークの信号強度が無線ローカルエリアネットワークの信号強度の以上である場合、移動ネットワークを介してキャッシュデータを伝送する。
【００５０】
ステップ２０４：移動ネットワークの信号強度が無線ローカルエリアネットワークの信号強度より小さい場合、無線ローカルエリアネットワークを介してキャッシュデータを伝送する。
【００５１】
一例の例示的なシーンにおいて、図１Ｂに示すように、ＵＥ２０が移動ネットワークとＷＬＡＮに同時にアクセスできる場合に、ＵＥ２０のキャッシュメモリのキャッシュデータの長さが第一所定閾値に達しない場合、ＵＥ２０のより良いユーザ体験を確保するために、移動ネットワークとＷＬＡＮの信号強度に基づいてＵＥ２０が採用する必要があるリンクを確定し、例えば、移動ネットワークのネットワーク信号がＷＬＡＮの信号強度の以上である場合、第一リンク１４１を介してキャッシュデータをｅＮＢ１０に送信してよく、移動ネットワークのネットワーク信号がＷＬＡＮの信号強度より小さい場合、第二リンク１４２を介してキャッシュデータをｅＮＢ１０に送信してよく、これにより、ＵＥ２０がよりよいアップリンクを介してデータをｅＮＢ１０に送信することを確保できる。
【００５２】
本実施形態において、移動ネットワークとＷＬＡＮの信号強度に基づいてＵＥによって採用されたたネットワークを調整することで、ＵＥが最適のアップリンクを介してデータを伝送することを確保でき、キャッシュメモリにはより多いデータがキャッシュされることを避け、ＵＥのデータ伝送のパフォーマンスを効果的に向上させる。
【００５３】
図３は一例の例示的な実施形態に基づいて示したまた１つのデータ伝送方法のフローチャートである。本実施形態は本開示の実施形態によって提供される上記の方法を利用して、どのように第一所定閾値を得ること及び第一所定閾値をアップデートするかを例として、且つ図１Ｂを参照して例示的に説明し、図３に示すように、以下のステップを含む。
【００５４】
ステップ３０１：基地局のブロードキャストシグナリングを受信する。
【００５５】
ステップ３０２：ブロードキャストシグナリングから第一所定閾値を解析する。
【００５６】
ステップ３０１とステップ３０２において、一例の実施形態において、ｅＮＢ１０は、セルのネットワーク負荷によってセル内のＵＥ（例えば、ＵＥ２０）に１つの第一所定閾値を割り当て、該第一所定閾値がＵＥ２０のデフォルト閾値としてよく、ＵＥ２０が第一所定閾値に基づいてキャッシュデータの伝送方式をコントロールする。
【００５７】
ステップ３０３：基地局のユニキャストシグナリングを受信する。
【００５８】
ステップ３０４：ユニキャストシグナリングから第二所定閾値を解析し、ここで、第二所定閾値が第一所定閾値より小さい。
【００５９】
ステップ３０５：第一所定閾値を第二所定閾値にアップデートする。
【００６０】
ステップ３０３−ステップ３０５において、ＵＥ２０がセル内の所定のユーザレベルのＵＥである場合、ＵＥ２０がｅＮＢ１０からのユニキャストシグナリングを受信することができ、該所定のユーザレベルに対応する第二所定閾値をユニキャストシグナリングから解析し、且つ第一所定閾値を第二所定閾値にアップデートする。例えば、第一所定閾値が８ビットであり、ｅＮＢ１０は、ＵＥ２０の所定のユーザレベルがプラチナユーザであることを検出した場合、プラチナユーザに対応する所定閾値が６ビットであれば、６ビットを第二所定閾値として、ＵＥ２０に送信する。ＵＥ２０は、第二所定閾値を受信した後、システムのデフォルトの８ビットをＵＥ２０に対応する６ビットにアップデートする。
【００６１】
本実施形態において、ユニキャストシグナリングから第二所定閾値解析し、第二所定閾値が第一所定閾値より小さいので、ＵＥのキャッシュデータがより小さい場合、図１Ａに示した実施形態の方法プロセスに基づいてキャッシュデータを基地局にアップロードすることができ、高レベルのＵＥが早速にキャッシュデータを基地局にアップロードすることを確保し、キャッシュデータの伝送とき、異なるレベルのユーザ装置に対する差別化された伝送サービスを実現した。
【００６２】
図４は一例の例示的な実施形態によって示したまた１つのデータ伝送方法のフローチャートである。該データ伝送方法がｅＮＢに応用されてよく、本実施形態は図１Ｂを参照して例示的に説明し、図４に示すように、該データ伝送方法は、以下のステップ４０１−ステップ４０３を含む。
【００６３】
ステップ４０１：セル内のユーザ装置のネットワーク負荷状態を確定する。
【００６４】
一例の実施形態において、セル１１を例として例示的に説明する。ｅＮＢ１０はセル１１内の全てのＵＥが移動ネットワークを介して伝送したデータのデータ量を統計することができ、データ量に基づいてセル１１内のユーザ装置のネットワーク負荷状態を確定し、ネットワーク負荷状態は、例えば、スムーズなデータの伝送状態、又は、混雑したデータの伝送状態などであってよい。
【００６５】
ステップ４０２：ネットワーク負荷状態に基づいて、セル内のユーザ装置によって採用された第一所定閾値を確定する。
【００６６】
一例の実施形態において、データがスムーズに伝送される場合、第一所定閾値が大きく設定されてよく、例えば、１２ビットを設定することで、ＵＥ２０が移動ネットワークを介してｅＮＢ１０にデータを安定し伝送することを確保でき、ＵＥ２０が必要ない情況でキャッシュデータをパケットに分割することを避けて、ＵＥのデータ伝送のパフォーマンスを効果的に向上させる。
【００６７】
ステップ４０３：ユーザ装置がそれぞれ移動ネットワークと無線ローカルエリアネットワークを介してアップロードした二つのグループのデータを受信し、ここで、二つのグループのデータは、ユーザ装置のキャッシュデータの長さが第一所定閾値の以上である場合、ユーザ装置がキャッシュデータをパケットに分割して得られたものである。
【００６８】
ステップ４０４：二つのグループのデータをユーザ装置側のデータフォーマットと同じデータパケットに再構成する。
【００６９】
一例の実施形態において、図１Ｂに示すように、ｅＮＢ１０は、移動ネットワークの第一リンク１４１を介して伝送された第一グループのデートとＡＰ３０が転送された、無線ローカルエリアネットワークの第二リンク１４２を介して伝送された第二グループのデータのデータパケットを受信した後、対応するデータパケットから各自の識別子を識別でき、これらの識別子は、第一グループのデータと第二グループのデータによってそれぞれ形成されたデータパケットに追加された、第一グループのデータと第二グループのデータを識別するための識別子、及びＵＥ２０の現在送信しようとする全てのデータでの第一グループのデータと第二グループのデータの位置を識別するための識別子に含まれる。ｅＮＢ１０がこれらの識別子に基づいて第一グループのデータと第二グループのデータを正確に識別でき、且つこれらの識別子に基づいて第一グループのデータと第二グループのデータをＵＥによってによって最初に生成されたキャッシュデータに再構成することができる。
【００７０】
本実施形態において、本実施形態は上記のステップ４０１−４０４に基づいて、ＵＥに第一所定閾値に基づいてデータ伝送方式をコントロールさせ、これによって、移動ネットワークとＷＬＡＮのリソースをよりよく統合することができ、従来技術におけるＷＬＡＮのネットワーク利用率が低い問題を解決するとともに、移動ネットワークを介してデータを伝送するときのネットワークの負荷を大幅に緩和させ、ＵＥのデータ伝送のパフォーマンスを向上させる。２つの独立した移動ネットワークとＷＬＡＮの通信ネットワークを介して、ＵＥによってキャッシュデータがパケットに分割されて得られた二つのグループのデータをそれぞれ受信し、ＵＥからのキャッシュデータを再構成し、データ処理によってデータがロスされないことを確保し、移動ネットワークを介してデータを伝送するときのネットワーク負荷を大幅に緩和させると共に、ＵＥのデータ伝送のパフォーマンスを向上させる。
【００７１】
一例の実施形態において、データ伝送方法は、
セル内のユーザ装置から所定のユーザレベルに合致するユーザ装置を確定することと、
所定のユーザレベルに対応する第二所定閾値を確定することと、
第二所定閾値を所定のユーザレベルに合致するユーザ装置に送信することと、を更に含む。
【００７２】
一例の実施形態において、第二所定閾値を所定のユーザレベルに合致するユーザ装置に送信することは、
第二所定閾値がユニキャストシグナリングに含まれるように設定することと、
所定のユーザレベルに合致するユーザ装置へユニキャストシグナリングを送信することと、を更に含み、
ユニキャストシグナリングには第二所定閾値が含まれる。
【００７３】
一例の実施形態において、第一所定閾値をセル内のユーザ装置に送信することは、
第一所定閾値がブロードキャストシグナリングに含まれるように設定することと、
セル内のユーザ装置へ前記ブロードキャストシグナリングを送信することと、を更に含む。
【００７４】
具体的なデータ伝送方法は、後述の実施形態を参照する。
【００７５】
ここまで、本発明の実施形態によって提供される上記の方法は、ＵＥに第一所定閾値に基づいてデータ伝送方式をコントロールさせ、これによって、移動ネットワークとＷＬＡＮのリソースをよりよく統合することができる。
【００７６】
図５は一例の例示的な実施形態に基づいて示した更に１つのデータ伝送方法のフローチャートであり、本実施形態は本開示の実施形態によって提供される上記の方法を利用して、第一所定閾値に対してどのようにアップデートするかを例として、且つ図１Ｂを参照して例示的に説明し、図５に示すように、以下のステップを含む。
【００７７】
ステップ５０１：セル内のユーザ装置から所定のユーザレベルに合致するユーザ装置を確定する。
【００７８】
ステップ５０２：所定のユーザレベルに対応する第二所定閾値を確定する。
【００７９】
ステップ５０３：第二所定閾値がユニキャストシグナリングに含まれるように設定する。
【００８０】
ステップ５０４：第二所定閾値を所定のユーザレベルに合致するユーザ装置に送信する。
【００８１】
一例の例示的なシーンにおいて、図１Ｂに示すように、ｅＮＢ１０はＵＥ２０がセル内の所定ユーザレベルであることを確定する場合、ｅＮＢ１０が所定のユーザレベルに対応する第二所定閾値を確定することができ、ＵＥ２０にユニキャストシグナリングを送信することにより、ＵＥ２０に、ユニキャストシグナリングから第二所定閾値を解析させ、且つ第一所定閾値を第二所定閾値にアップデートさせる。例えば、第一所定閾値が８ビットであり、ｅＮＢ１０がはＵＥ２０の所定のユーザレベルがプラチナユーザであることを検出した場合、プラチナユーザに対応する所定閾値が６ビットであれば、６ビットを第二所定閾値として、ＵＥ２０に送信し、ＵＥ２０が第二所定閾値を受信した後、システムのデフォルトの８ビットをＵＥ２０に対応する６ビットにアップデートする。
【００８２】
本実施形態において、基地局はセル内にあるユーザ装置から所定のユーザレベルに合致するユーザ装置を確定し、所定のユーザレベルに対応する第二所定閾値をユニキャストシグナリングに含まれるように設定したあと、ユニキャストシグナリングを対応するＵＥに送信し、第二所定閾値が第一所定閾値より小さいので、ＵＥのキャッシュデータが小さいとき、図１Ａに示した実施形態の方法プロセスに基づいてキャッシュデータを基地局にアップロードすることができ、高レベルのＵＥが早速にキャッシュデータを基地局にアップロードすることを確保し、キャッシュデータの伝送とき、異なるレベルのユーザ装置に対する差別化された伝送サービスを実現した。
【００８３】
図６は一例の例示的な実施形態に基づいて示したデータ伝送装置のブロック図であり、図６に示すように、データ伝送装置は、
ユーザ装置のキャッシュデータの長さが第一所定閾値の以上である場合、所定の方式によってキャッシュデータを分割して、二つのグループのデータを得るように構成されるデータパケットモジュール６１と、
データパケットモジュール６１によってパケットに分割して得られた二つのグループのデータをそれぞれ移動ネットワークと無線ローカルエリアネットワークを介して基地局にアップロードするように構成される第一データ伝送モジュール６２と、を備える。
【００８４】
図７は一例の例示的な実施形態に基づいて示したもう１つのデータ伝送装置のブロック図であり、図７に示すように、上記図６に示すような実施形態に基づいて、一例の実施形態において、データ伝送装置は、
キャッシュデータの長さが第一所定閾値より小さい場合、移動ネットワークと無線ローカルエリアネットワークの信号強度を確定するように構成される信号強度確定モジュール６３と、
信号強度確定モジュール６３によって移動ネットワークの信号強度が無線ローカルエリアネットワークの信号強度の以上であることが確定された場合、移動ネットワークを介してキャッシュデータを伝送するように構成される第二データ伝送モジュール６４と、
信号強度確定モジュール６３によって移動ネットワークの信号強度が無線ローカルエリアネットワークの信号強度より小さいことが確定された場合、無線ローカルエリアネットワークを介して前記キャッシュデータを伝送するように構成される第三データ伝送モジュール６５と、を更に備える。
【００８５】
一例の実施形態において、データ伝送装置は、
基地局のブロードキャストシグナリングを受信するように構成されるブロードキャストシグナリング受信モジュール６６と、
ブロードキャストシグナリング受信モジュール６６によって受信されたブロードキャストシグナリングから第一所定閾値を解析するように構成される第一閾値解析モジュール６７と、を更に備え、データパケットモジュール６１は、キャッシュデータの長さが第一所定閾値の以上である場合、所定の方式によってキャッシュデータをパケットに分割する。
【００８６】
一例の実施形態において、データ伝送装置は、
基地局のユニキャストシグナリングを受信するように構成されるユニキャストシグナリング受信モジュール６８と、
ユニキャストシグナリング受信モジュール６８によって受信されたユニキャストシグナリングから第二所定閾値を解析するように構成される第二閾値解析モジュール６９と、
第一閾値解析モジュール６７によって解析された第一所定閾値を第二閾値解析モジュール６９によって解析された第二所定閾値にアップデートするように構成される閾値アップデートモジュール７０と、を更に備え、データパケットモジュール６１は、キャッシュデータの長さが第一所定閾値の以上である場合、所定の方式によってキャッシュデータをパケットに分割する。
【００８７】
一例の実施形態において、キャッシュデータがパケットデータコンバージェンスプロトコルのキャッシュメモリに格納される。
【００８８】
図８は一例の例示的な実施形態に基づいて示したほかのデータ伝送装置のブロック図であり、図８に示すように、データ伝送装置は、
セル内のユーザ装置のネットワーク負荷状態を確定するように構成される状態確定モジュール８１と、
状態確定モジュール８１によって確定されたネットワーク負荷状態に基づいて、セル内のユーザ装置によって採用された第一所定閾値を確定するように構成される第一閾値確定モジュール８２と、
ユーザ装置がそれぞれ移動ネットワークと無線ローカルエリアネットワークを介してアップロードした二つのグループのデータを受信するように構成されるデータ受信モジュール８３と、
データ受信モジュール８３によって受信された二つのグループのデータをユーザ装置側のデータフォーマットと同じデータパケットに再構成するように構成されるデータ再構成モジュール８４と、を備え、
二つのグループのデータは、ユーザ装置のキャッシュデータの長さが第一閾値確定モジュール８２によって確定された第一所定閾値の以上である場合、ユーザ装置がキャッシュデータをパケットに分割して得られたものである。
【００８９】
図９は一例の例示的な実施形態に基づいて示したまた１つのデータ伝送装置のブロック図であり、図９に示すように、上記図８に示すような実施形態に基づいて、一例の実施形態において、データ伝送装置は、
セル内のユーザ装置から所定のユーザレベルに合致するユーザ装置を確定するように構成されるレベル確定モジュール８５と、
レベル確定モジュール８５によって確定された、所定のユーザレベルに対応する第二所定閾値を確定するように構成される第二閾値確定モジュール８６と、
第二閾値確定モジュール８６によって確定された第二所定閾値を所定のユーザレベルに合致するユーザ装置に送信するように構成される第二閾値送信モジュール８７と、を更に備える。
【００９０】
一例の実施形態において、第二閾値送信モジュール８７は、
第二閾値確定モジュール８６によって確定された第二所定閾値がユニキャストシグナリングに含まれるように設定するように構成される第二閾値設定サブモジュール８７１と、
所定のユーザレベルに合致するユーザ装置へ前記ユニキャストシグナリングを送信するように構成されるユニキャストシグナリング送信サブモジュール８７２と、を更に備え、ユニキャストシグナリングには第二閾値設定サブモジュール８７１によって設定された第二所定閾値が含まれ、ユーザ装置のキャッシュデータの長さが第二閾値設定サブモジュール８７１によって確定された第二所定閾値の以上である場合、データ受信モジュール８３がそれぞれ移動ネットワークと無線ローカルエリアネットワークを介してをパケットに分割されたデータを受信し、ここで、パケットに分割されたデータは、ユーザ装置によってキャッシュデータがパケットに分割されて得られたものである。
【００９１】
一例の実施形態において、データ伝送装置は、
第一閾値確定モジュール８２によって確定された第一所定閾値がブロードキャストシグナリングに含まれるように設定するように構成される第一閾値設定モジュール８８と、
セル内のユーザ装置へ前記ブロードキャストシグナリングを送信するように構成されるブロードキャストシグナリング送信モジュール８９と、を更に備え、
ブロードキャストシグナリングには第一閾値設定モジュール８８によって設定された第一所定閾値が含まれる。
【００９２】
上記実施形態に記載の装置について、各モジュールの操作を実行する具体的な方式も該方法に関する実施形態において詳しく説明され、ここでは詳細な説明を省略する。
【００９３】
図１０は一例の例示的な実施形態に基づいて示したデータ伝送装置にに適用されるブロック図である。例えば、装置１０００は携帯電話、コンピュータ、デジタルラジオ端末、メッセージ送受信装置、ゲームコントロールプラットフォーム、タブレット装置、医療機器、フィットネス機器、パーソナルディジタルアシスタントなどのユーザ装置であっていい。
【００９４】
図１０に示すように、装置１０００は、処理コンポーネント１００２、メモリ１００４、電源コンポーネント１００６、マルチメディアコンポーネント１００８、オーディオコンポーネント１０１０、入力／出力（Ｉ／Ｏ）インターフェース１０１２、センサーコンポーネント１０１４、通信コンポーネント１０１６のうちの１つ又は複数を含んでも良い。
【００９５】
処理コンポーネント１００２は通常に装置１０００の全体操作を制御し、例えば、表示、電話コール、データ通信、カメラ操作と記録操作に関する操作である。処理コンポーネント１００２は一つ或いは複数のプロセッサ１０２０を含んで命令を実行することで、上述した方法の全部又は一部のステップを完成する。また、処理コンポーネント１００２は一つ或いは複数のモジュールを含むことで、処理コンポーネント１００２と他のコンポーネントがインタラクトすることができる。例えば、処理コンポーネント１００２は、マルチメディアコンポーネント１００８と処理コンポーネント１００２との間のインタラクトの便利のために、、マルチメディアモジュールを含んでもよい。
【００９６】
メモリ１００４は各種のデータを記憶することで、装置１０００の操作をサポートするように構成される。上記のデータの例示は、装置１０００に操作されるいかなるアプリケーション又は方法の命令、連絡先データ、電話帳データ、メッセージ、写真、ビデオなどがある。メモリ１００４はいかなる揮発性メモリ或いは不揮発性メモリ或いは両者の結合により実現され、例えば、スタティックランダムアクセスメモリ（ＳＲＡＭ）、電気消去可能プログラマブルロム（ＥＥＰＲＯＭ）、消去可能プログラマブルロム（ＥＰＲＯＭ）、プログラマブルロム（ＰＲＯＭ）、ロム（ＲＯＭ）、磁気メモリ、フラッシュメモリ、ディスク或いは光ディスクである。
【００９７】
電源コンポーネント１００６は装置１０００の各モジュールに電力を提供する。電源コンポーネント１００６は、電源管理システム、一つ或いは複数の電源及び他の装置１０００に電力を生成、制御、分配するための関連モジュールを含む。
【００９８】
マルチメディア１００８は前記装置１０００とユーザの間に出力インタフェースを提供するスクリーンを含む。ある実施形態において、スクリーンは液晶ディスプレー（ＬＣＤ）とタッチパネル（ＴＰ）を含む。スクリーンはタッチパネルを含む場合、スクリーンがタッチスクリーンとして実現され、ユーザから入力された信号を受信する。タッチパネルは一つ或いは複数のタッチセンサーを含むことで、タッチ、スライドとタッチパネルにおけるジェスチャーを検知する。前記タッチセンサーはタッチ又はフライドという動作の境界を検知するだけではなく、前記タッチ又はスライド操作に関する継続時間と圧力も検知する。ある実施形態において、マルチメディア１００８は一つのフロントカメラ及び／又はバックカメラを備える。装置１０００は操作モードにあるとき、例えば撮影モード或いはビデオモードにあるとき、フロントカメラ及び／又はバックカメラは外部からのマルチメディアデータを受信する。各フロントカメラとバックカメラは固定の光学レンズシステムであり、或いは焦点距離と光学ズームを有する。
【００９９】
オーディオコンポーネント１０１０はオーディオ信号を出力及び／又は入力するように構成される。例えば、オーディオコンポーネント１０１０は一つのマイク（ＭＩＣ）を備え、装置１０００が操作モード、例えばコールモード、記録モードと音声識別モードにあるとき、マイクが外部のオーディオ信号を受信するように構成される。受信されたオーディオ信号はメモリ１００４に更に記憶される或いは通信コンポーネント１０１６によって送信される。ある実施形態において、オーディオコンポーネント１０１０は一つのスピーカーを備え、オーディオ信号を出力するように構成される。
【０１００】
Ｉ／Ｏインタフェース１０１２は処理コンポーネント１００２と外部インタフェースモジュールにインタフェースを提供し、上記の外部インタフェースモジュールは、キーボード、クリックディフェクト、ボタンなどである。これらのボタンはホームページボタン、音量ボタン、スタートボタンとロックボタンを含むが、それらに限られない。
【０１０１】
センサーコンポーネント１０１４は一つ或いは複数のセンサーを備え、装置１０００に各方面の状態の評価を提供するように構成される。例えば、センサーコンポーネント１０１４は装置１０００のオン／オフ状態、モジュールの相対位置が検出でき、例えば、前記モジュールは装置１０００のディスプレーとキーパッドである。センサーコンポーネント１０１４は、装置１０００或いは装置１０００の一つのモジュールの位置変化、ユーザが装置１０００に接触するかどうか、装置１０００の方位或いは加速／減速と装置１０００の温度変化について更に検出することができる。センサーコンポーネント１０１４は近接センサーを更に備え、物理的な接触が完全にない場合、付近の物体を検出するように構成される。センサーコンポーネント１０１４は光センサーを更に備え、例えばＣＭＯＳ或いはＣＣＤ画像センサーであり、画像形成応用に使用するように構成される。ある実施形態において、該センサー１０１４は加速度センサーと、ジャイロセンサーと、磁気センサーと、圧力センサー或いは温度センサーを更に備える。
【０１０２】
通信コンポーネント１０１６は、装置１０００と他のデバイスの間に有線或いは無線の方式で通信するように構成される。装置１０００は通信標準に基づく無線ネットにアクセスし、例えばＷｉＦｉ、２Ｇ或いは３Ｇ或いはそれらの結合である。ある例示の実施形態において、通信コンポーネント１０１６は放送チャネルを通して外部からの放送管理システムの放送信号或いは放送関連情報を受信する。ある例示の実施形態において、前記通信コンポーネント１０１６は近距離無線通信（ＮＦＣ）モジュールを備え、短距離通信を促進する。例えば、ＮＦＣモジュールはラジオフリークエンシーアイデンティフィケーション（ＲＦＩＤ）技術、赤外線データ協会（ＩｒＤＡ）技術、超広帯域無線（ＵＷＢ）技術、ブルートゥース（登録商標）（ＢＴ）技術と他の技術に基づいて実現される。
【０１０３】
例示の実施形態において、装置１０００は一つ或いは複数の応用専用集積回路（ＡＳＩＣ）、デジタルシグナルプロセッサ（ＤＳＰ）、デジタルシグナルプロセスディバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ或いは他の電子部品によって実現され、上記の方法を実行するように構成される。
【０１０４】
例示の実施形態において、命令を含む非一時的なコンピュータ可読な記憶媒体を更に提供し、例えば命令を含むメモリ１００４であり、上記の命令が装置１０００のプロセッサ１０２０に実行されて上記の方法を完成する。例えば、前記非一時的なコンピュータ可読な記憶媒体は、ＲＯＭ、ランダムアクセスメモリ（ＲＡＭ）、ＣＤ−ＲＯＭ、磁気テープ、ディスクと光データ記憶デバイスなどである。
【０１０５】
ここで、プロセッサー１０２０は、
ユーザ装置のキャッシュデータの長さが第一所定閾値の以上である場合、所定の方式によって前記キャッシュデータを分割して、二つのグループのデータを得、
二つのグループのデータをそれぞれ移動ネットワークと無線ローカルエリアネットワークを介して基地局にアップロードするように構成される。
【０１０６】
図１１は一例の例示的な実施形態に基づいて示したもう１つのデータ伝送装置に適用されるブロック図である。装置１０００が基地局であってよい。図１１に示すように、装置１０００は処理コンポーネント１１２２、無線送信／受信コンポーネント１１２４、アンテナコンポーネント１１２６、及び無線インターフェース特有の信号処理部を備え、処理コンポーネント１１２２が１つ又は複数のプロセッサーを更に備える。
【０１０７】
処理コンポーネント１１２２のうちの１つのプロセッサーは、
セル内のユーザ装置のネットワーク負荷状態を確定し、
ネットワーク負荷状態に基づいて、セル内のユーザ装置によって採用された第一所定閾値を確定し、
ユーザ装置のキャッシュデータの長さが第一所定閾値の以上である場合、それぞれ移動ネットワークと無線ローカルエリアネットワークを介してパケットに分割された二つのグループのデータを受信し、
二つのグループのデータをユーザ装置側のデータフォーマットと同じデータパケットに再構成するように構成され、
二つのグループのデータは、ユーザ装置がキャッシュデータをパケットに分割して得られたものである。
【０１０８】
本明細書の他の実施例は、本明細書の考察および本明細書に開示された本発明の実施の当業者に明らかになるだろう。本出願は、本開示のあらゆる変形、用途或いは適応的な変化を含むことを旨とし、これらの変形、用途或いは適応的な変化は、本開示の一般的原理に従って、且つ本開示から開示されていない本分野の公知常識或いは慣用技術手段を含む。明細書と実施形態は例示的なものに過ぎず、本開示の真の範囲および精神が添付の特許請求の範囲によって示される。
【０１０９】
本開示は、上記説明された且つ添付の図面に示されたた精確の構造に限定されず、その範囲から逸脱することなく、様々な修正および変更を行うことができることを理解すべきである。本開示の範囲は、添付の特許請求の範囲によってのみ限定される。
【図１Ａ】
2019517758.tif 000003
【図１Ｂ】
2019517758.tif 000004
【図２】
2019517758.tif 000005
【図３】
2019517758.tif 000006
【図４】
2019517758.tif 000007
【図５】
2019517758.tif 000008
【図６】
2019517758.tif 000009
【図７】
2019517758.tif 000010
【図８】
2019517758.tif 000011
【図９】
2019517758.tif 000012
【図１０】
2019517758.tif 000013
【図１１】
2019517758.tif 000014
【国際調査報告】
2019517758.tif 000015
2019517758.tif 000016
2019517758.tif 000017
2019517758.tif 000018